(57)【特許請求の範囲】
【請求項１】
周面に側板を設け、底面を開口し、平面状の天板の両側端に側板載置溝を形成する商品陳列棚用ブロック体において、前記側板載置溝は、天板の左右両側端のヘリの角を巾が陳列本体の側板厚みと略同等にしたＬ溝と、該Ｌ溝に前後方向所定の間隔で該Ｌ溝から内側に向かい短く、巾が陳列本体の側板厚みと略同等にした横溝とからなり、且つ周面の前後の側板の底端は、同一形状の他の商品陳列棚用ブロック体の横溝に係合するように一部が切り欠いたものであることを特徴とする商品陳列棚用ブロック体。
【請求項２】
前記天板の両側端の後方側に、陳列棚に設置されている棚板支持用サイドブラケットとの接触を避けるための切り落し部を設けてなることを特徴とする請求項１記載の商品陳列棚用ブロック体。
【請求項３】
前記切り落し部と同一形状の部材を嵌め込み自在に設置してなることを特徴とする請求項２記載の商品陳列棚用ブロック体。
【請求項４】
左方側板及び右方側板には、該側板の前後端のいずれか寄りに底面から上方に向かう所定の長さの第１係合スリットを設け、更に、前記第１係合スリットから遠い側の前方側板又は後方側板には、該側板の側端寄りに底面から上方に向かう所定の長さの第２係合スリットを設けてなることを特徴とする請求項１〜３のいずれか１項に記載の商品陳列棚用ブロック体。
【請求項５】
請求項１〜４のいずれか１項に記載の商品陳列棚用ブロック体の２個以上を組合わせて使用し、少なくとも一方の商品陳列棚用ブロック体は、他方の商品陳列棚用ブロック体の上方に載置されてなり、該載置方法が、他方の商品陳列棚用ブロック体の側板載置溝の横溝のいずれかに、一方の商品陳列棚用ブロック体の前方側板を係合させて行うことを特徴とする商品陳列棚用ブロック体組物。
【発明の詳細な説明】
【０００１】
【発明の属する技術分野】
本発明は、スーパー、百貨店、専門店、コンビニエンスストアー等の店内で商品を陳列するのに用いられ、商品量や商品の特性により陳列を多様に変化させることができる商品陳列棚用ブロック体に関するものである。
【０００２】
【従来の技術】
従来、スーパー等の店内での商品陳列方法は、それにより商品の売れ行きが左右されることが多いため、種々の工夫を凝らした方法が採られ、その模様替えも頻繁に行われている。通常、商品は陳列棚あるいは陳列台の手前から順次売れるため、時間がたつにつれ陳列台の手前の商品が無くなったり、ごく少量となったりする。特に、生鮮食料品を陳列する冷蔵ケースでは上記傾向が顕著となり、客は冷蔵ケースの奥の方にある商品を見過ごしたり、何となく取り辛かったりして、商品の売れ行きに悪い影響を及ぼすことが多くなる。
【０００３】
これらを解決するものとして、周囲に側板を設け、底面を開口した陳列棚本体の天板の周囲には側板載置溝を設けるとともに縦横に格子状の嵌合溝を形成すると共に、側板載置溝及び格子状の嵌合溝の溝巾が陳列棚本体の側板厚みの約２倍以上としている商品陳列棚用ブロック体が提案されている（実開平４−４０８４８号公報）。この商品陳列棚用ブロック体を複数個組み合わせて、特に冷蔵ケースの奥の方に雛壇状に形成すれば、冷蔵ケースの奥の方にある商品を見過ごすことがなく、取り易く、且つボリューム感を与えるなど種々の陳列の演出をすることができる。
【０００４】
【発明が解決しようとする課題】
しかしながら、上記の商品陳列棚用ブロック体は、底面開口のブロック体を積み重ねる構造を採るため、天板の上面、すなわち、商品の載置面には格子状の嵌合溝が設けられている。このため、この嵌合溝に埃が溜まり易く、清掃等の管理が面倒なことに加え、商品載置面に埃が堆積することは、商品へ与えるイメージにも大きく影響する。また、冷蔵ケース等には、通常、棚板を支持するサイドブラケットが奥の両側に設けられているため、商品陳列棚用ブロック体を設置しようとしても、これが障害となる。また、サイドブラケットを避けて設置しようとすると冷蔵ケース内の容積の有効利用が図れないという問題がある。更に、商品陳列の模様替え等で、不要となった商品陳列棚用ブロック体を保管する場合、積み重ねて保管すると保管スペースを採る。更に、該商品陳列棚用ブロック体を運搬する場合にも、同様の問題が生じ、輸送コストを上昇させてしまうか、あるいは運搬し難いという問題がある。
【０００５】
従って、本発明の目的は、商品を載置する面、すなわち天板の上面は格子状の溝のない平面状でありながら、安定して積み重ね可能な商品陳列棚用ブロック体を提供することにあり、また、本発明の他の目的は、冷蔵ケース等の奥に棚板支持用サイドブラケットが設けられた陳列棚であっても、該サイドブラケットを避けて設置可能な商品陳列棚用ブロック体を提供することにあり、また、本発明の他の目的は、コンパクトにスタッキング可能で、運搬に好適な商品陳列棚用ブロック体を提供することにある。
【０００６】
【課題を解決するための手段】
かかる実情において、本発明者は鋭意検討を行った結果、天板の左右両側端のヘリにＬ溝と、該Ｌ溝の前後方向所定の間隔で該Ｌ溝から内側に向かい短かく横溝を形成し、前後の側板の底端は該横溝に係合するように一部を切り欠いたものとすれば、安定して積み重ね可能な商品陳列棚用ブロック体が得られること、天板の両側端の後方側に棚板支持用サイドブラケットが入り込む切り落し部を設ければ、冷蔵ケース等の内容積を有効利用できること、更に、周面の側板の特定位置に底面から上方に向けて所定長さの２種４個のスリットを形成すれば、２個のブロック体を底面を対向させつつ２種のスリットを互いに嵌め合えば、コンパクトにスタッキング可能であること等を見出し、本発明を完成するに至った。
【０００７】
すなわち、請求項１記載の発明は、周面に側板を設け、底面を開口し、平面状の天板の両側端に側板載置溝を形成する商品陳列棚用ブロック体において、前記側板載置溝は、天板の左右両側端のヘリの角を巾が陳列本体の側板厚みと略同等にしたＬ溝と、該Ｌ溝に前後方向所定の間隔で該Ｌ溝から内側に向かい短く、巾が陳列本体の側板厚みと略同等にした横溝とからなり、且つ周面の前後の側板の底端は、同一形状の他の商品陳列棚用ブロック体の横溝に係合するように一部が切り欠いたものである商品陳列棚用ブロック体を提供するものである。かかる構成を採ることにより、横溝の数だけ異なる雛壇形態を形成でき、安定した積み重ねができる。
【０００８】
また、請求項２記載の発明は、前記天板の両側端の後方側に、陳列棚に設置されている棚板支持用サイドブラケットとの接触を避けるための切り落し部を設けてなる商品陳列棚用ブロック体を提供するものである。かかる構成を採ることにより、冷蔵ケース等の奥に棚板支持用サイドブラケットが設けられた陳列棚であっても、該サイドブラケットを避けて奥いっぱいに設置可能であり、冷蔵ケース等の内容積を有効利用できる。
【０００９】
また、請求項３記載の発明は、前記切り落し部と同一形状の部材を嵌め込み自在に設置してなる商品陳列棚用ブロック体を提供するものである。かかる構成を採ることにより、棚板支持用サイドブラケットの有無に係わらず使用できる。
【００１０】
また、請求項４記載の発明は、左方側板及び右方側板には、該側板の前後端のいずれか寄りに底面から上方に向かう所定の長さの第１係合スリットを設け、更に、前記第１係合スリットから遠い側の前方側板又は後方側板には、該側板の側端寄りに底面から上方に向かう所定の長さの第２係合スリットを設けてなる商品陳列棚用ブロック体を提供するものである。かかる構成を採ることにより、２個の商品陳列棚用ブロック体をスタッキングする際、両商品陳列棚用ブロック体の底面の開口を対向させ、且つ一方の商品陳列棚用ブロック体の第１係合スリットと他方の商品陳列棚用ブロック体の第２係合スリットを嵌め込めば、コンパクトにスタッキングできる。
【００１１】
また、請求項５記載の発明は、商品陳列棚用ブロック体の２個以上を組合わせて使用し、少なくとも一方の商品陳列棚用ブロック体は、他方の商品陳列棚用ブロック体の上方に載置されてなり、該載置方法が、他方の商品陳列棚用ブロック体の側板載置溝の横溝のいずれかに、一方の商品陳列棚用ブロック体の前方側板を係合させて行う商品陳列棚用ブロック体組物を提供するものである。かかる構成を採ることにより、横溝の数だけ異なる雛壇形態を形成できると共に、冷蔵ケースの奥の方にある商品を見過ごすことがなく、取り易く、且つボリューム感を与えるなど種々の陳列の演出をすることができる。
【００１２】
【発明の実施の形態】
本発明の第１の実施の形態における商品陳列棚用ブロック体を図１〜図６を参照して説明する。図１は第１の実施の形態の商品陳列棚用ブロック体の斜視図、図２は図１の商品陳列棚用ブロック体を２個積み上げた状態を示す斜視図、図３は図２の部分拡大図、図４は２個の商品陳列棚用ブロック体の係合位置を替えて積み上げた状態を示す斜視図、図５は図４の部分拡大図、図６は２個の商品陳列棚用ブロック体の係合位置を更に替えて積み上げた状態を示す斜視図をそれぞれ示す。
【００１３】
商品陳列棚用ブロック体１０ａは周面に側板１を設け、底面を開口し、平面状の天板２の両側端に側板載置溝３を形成する箱状物である。側板載置溝３は、天板の左右両側端のヘリの角を巾がブロック体の側板厚みと略同等にしたＬ溝３１と、Ｌ溝３１に前後方向所定の間隔でＬ溝から内側に向かい短く、巾が陳列本体の側板厚みと略同等にした横溝３２とからなる。横溝３２は本実施の形態例では、４個であり、前後両側端のヘリに設けられた２個のＬ溝３２ｂと、２個のＬ溝３２ｂの間に等間隔で設けられた２個の略Ｕ溝３２ａとからなる。また、周面の前後の側板の底端４は、同一形状の他の商品陳列棚用ブロック体の横溝に係合するように一部が切り欠かれている。
【００１４】
商品陳列棚用ブロック体１０ａは１個又は２個以上を組み合わせて使用される。２個の商品陳列棚用ブロック体１０ａの積み重ね形態としては、３形態あり、一方の商品陳列棚用ブロック体１０ａの上にそのまま他の商品陳列棚用ブロック体１０ａを積み重ねて使用する第１の形態（図２、３）、一方の商品陳列棚用ブロック体１０ａの前から１番目の略Ｕ溝３２ａに他方の商品陳列棚用ブロック体１０ａの前方コーナを係止させる第２の形態（図４、５）及び一方の商品陳列棚用ブロック体１０ａの前から２番目の略Ｕ溝３２ａに他方の商品陳列棚用ブロック体１０ａの前方コーナを係止させる第３の形態（図６）である。第１の形態においては、例えば、冷蔵ケースの奥に設置し、腰の弱い背の高い商品の背もたれのようにして使用しても、また、上方商品陳列棚用ブロック体１０ａの天板２に商品を載置するようにしてもよい。第２の形態においては、雛壇形状であり、例えば、冷蔵ケースの奥に設置し、腰の弱い背の高い商品の背もたれのようにして使用しても、また、下方及び上方商品陳列棚用ブロック体１０ａの天板２に商品を載置するようにしてもよい。第３の形態においては、雛壇形状であり、第２の形態に比して、下方の商品陳列棚用ブロック体１０ａの天板２の商品載置面積が広いから、これを有効に利用すればよい。
【００１５】
本発明の第２の実施の形態における商品陳列棚用ブロック体を図７〜図９を参照して説明する。図７は第２の実施の形態の商品陳列棚用ブロック体の斜視図、図８は図７の商品陳列棚用ブロック体に、嵌め込み部材を設置した斜視図、図９は使用状態図をそれぞれ示す。第２の実施の形態例において、第１の実施の形態例と同一構成要素には同一符合を付してその説明を省略し、異なる点についてのみ説明する。すなわち、図７〜図９の商品陳列棚用ブロック体１０ｂにおいて、商品陳列棚用ブロック体１０ａと異なる点は、天板２の左右両側端の後方側に切り落し部６を設けてなり、切り落し部６は底面から上方に向けて前後方向の寸法が巾広構造のものである。この商品陳列棚用ブロック体１０ｂは、商品陳列棚２０の両側に配置される棚板支持用サイドブラケット１２を備える陳列棚１１の最後部で使用することができる。また、切り落し部と同一形状の嵌め込み部材７を切り落し部６に嵌め込み自在に設置できるため、必要に応じて使い分けができる。尚、嵌め込み部材７の側板部分には取り外しが容易なように丸穴８を設けている。第２の実施の形態例によれば、冷蔵ケース等の奥に棚板支持用サイドブラケットが設けられた陳列棚であっても、該サイドブラケットを避けて奥いっぱいに設置可能であり、冷蔵ケース等の内容積を有効利用できる。また、陳列商品を載置面５に載せて陳列すれば、冷蔵ケースの奥の方にある商品を見過ごすことがなく、取り易く、且つボリューム感を与えることができる。
【００１６】
本発明の第３の実施の形態における商品陳列棚用ブロック体を図１０〜図１１を参照して説明する。図１０は第３の実施の形態の商品陳列棚用ブロック体のスタッキングの状態を示す図、図１１はスタッキング後の状態を示す図である。第３の実施の形態例において、第１の実施の形態例と同一構成要素には同一符合を付してその説明を省略し、異なる点についてのみ説明する。すなわち、図１０〜図１１の商品陳列棚用ブロック体１０ｃにおいて、商品陳列棚用ブロック体１０ａと異なる点は、左方側板１ａ及び右方側板１ａには、側板１ａの後端寄りに底面から上方に向かう所定の長さの第１係合スリット１５を設け、更に、第１係合スリット１５から遠い側の前方側板１ｂには、該側板１ｂの側端寄りに底面から上方に向かう所定の長さの第２係合スリット１６を設けた点にある。第１係合スリット１５及び第２係合スリット１６は、その長さは共に側板の高さの約半分であり、スリット巾は共に側板の厚みよりやや大きめである。２個の商品陳列棚用ブロック体１０ｃをスタッキングする際、両商品陳列棚用ブロック体１０ｃの底面の開口１７を互いに対向させ、且つ上方の商品陳列棚用ブロック体１０ｃの第２係合スリット１６と下方の商品陳列棚用ブロック体１０ｃの第１係合スリット１５を嵌め込めば、ブロック体略１個相当の大きさとなりコンパクトにスタッキングできる。尚、他のスタッキング方法としては、上方の商品陳列棚用ブロック体１０ｃの第１係合スリット１５と下方の商品陳列棚用ブロック体１０ｃの第２係合スリット１６を嵌め込む方法がある。また、係合スリットの位置は上記位置に限定されず、例えば、上方の商品陳列棚用ブロック体１０ｃにおいて、第１係合スリット１５を前方側に形成した場合、第２係合スリット１６は後方側板に設置されることとなる。
【００１７】
【発明の効果】
請求項１記載の発明によれば、横溝の数だけ異なる雛壇形態を形成でき、安定した積み重ねができる。
【００１８】
請求項２の発明によれば、冷蔵ケース等の奥に棚板支持用サイドブラケットが設けられた陳列棚であっても、該サイドブラケットを避けて奥いっぱいに設置可能であり、冷蔵ケース等の内容積を有効利用できる。
【００１９】
請求項３記載の発明によれば、棚板支持用サイドブラケットの有無に係わらず使用できる。
【００２０】
請求項４記載の発明によれば、２個の商品陳列棚用ブロック体をスタッキングする際、両商品陳列棚用ブロック体の底面の開口を対向させ、且つ一方の商品陳列棚用ブロック体の第１係合スリットと他方の商品陳列棚用ブロック体の第２係合スリットを嵌め込めば、コンパクトにスタッキングできる。
【００２１】
請求項５記載の発明によれば、横溝の数だけ異なる雛壇形態を形成できると共に、冷蔵ケースの奥の方にある商品を見過ごすことがなく、取り易く、且つボリューム感を与えるなど種々の陳列の演出をすることができる。
【図面の簡単な説明】
【図１】第１の実施の形態の商品陳列棚用ブロック体の斜視図である。
【図２】図１の商品陳列棚用ブロック体を２個積み上げた状態を示す斜視図である。
【図３】図２の部分拡大図である。
【図４】２個の商品陳列棚用ブロック体の係合位置を替えて積み上げた状態を示す斜視図である。
【図５】図４の部分拡大図である。
【図６】２個の商品陳列棚用ブロック体の係合位置を更に替えて積み上げた状態を示す斜視図である。
【図７】第２の実施の形態の商品陳列棚用ブロック体の斜視図である。
【図８】図７の商品陳列棚用ブロック体に、嵌め込み部材を設置した斜視図である。
【図９】使用状態図を示す。
【図１０】第３の実施の形態の商品陳列棚用ブロック体のスタッキングの状態を示す。
【図１１】スタッキング後の状態を示す図である。
【符号の説明】
１        側板
２        天板
３        側板載置溝
４        側板切り欠き部
５        商品載置面
６        切り落し部
７        嵌め込み部材
８        丸穴
１０ａ〜１０ｃ  商品陳列棚用ブロック体
１１        棚板部材
１２        棚板支持用サイドブラケット
１３        商品転落防止板
１５        第１係合スリット
１６        第２係合スリット
１７        底面の開口
３１        Ｌ溝
３２        横溝
３２ａ      略Ｕ溝
３２ｂ      横溝のＬ溝
【図１】
0004640884.tif 000002
【図２】
0004640884.tif 000003
【図３】
0004640884.tif 000004
【図４】
0004640884.tif 000005
【図５】
0004640884.tif 000006
【図６】
0004640884.tif 000007
【図７】
0004640884.tif 000008
【図８】
0004640884.tif 000009
【図９】
0004640884.tif 000010
【図１０】
0004640884.tif 000011
【図１１】
0004640884.tif 000012